(57)【要約】【課題】  中心からの距離によって厚みの異なる強度の視力矯正用のレンズの取付けを可能にするメガネフレームのレンズ取付け部の構造を提供する。【解決手段】  一対のハーフリム１を備え、該一対のハーフリム１の各々の内面２側に、中心からの距離によって厚みの異なるレンズ１５を取り付けるためのメガネフレームのレンズ取付け部の構造であって、前記各ハーフリム１の幅は、前記レンズ１５の最大厚みと略同一に形成されるとともに、該各ハーフリム１の内面２側の中央部から所定の距離離れた位置にそれぞれ嵌合溝４が設けられ、該嵌合溝４と前記レンズ１５の周面に設けられた嵌合溝１６の上半部との間に連結部材１０を嵌合させるように構成されている。【選択図】        図２
2008083299.tif 000002
【特許請求の範囲】
【請求項１】
一対のハーフリムを備え、該一対のハーフリムの各々の内面側に、中心からの距離によって厚みの異なるレンズを取り付けるためのメガネフレームのレンズ取付け部の構造であって、
前記各ハーフリムの幅は、前記レンズの最大厚みと略同一に形成されるとともに、該各ハーフリムの内面側の中央部から所定の距離離れた位置にそれぞれ嵌合溝が設けられ、
該嵌合溝と前記レンズの周面に設けられた嵌合溝の上半部との間に連結部材を嵌合させるように構成されていることを特徴とするメガネフレームのレンズ取付け部の構造。
【請求項２】
前記各ハーフリムの嵌合溝は、前記各ハーフリムの内面の中央部から各ハーフリムの前面方向に所定の距離離れた位置に設けられていることを特徴とする請求項１に記載のメガネフレームのレンズ取付け部の構造。
【請求項３】
前記レンズの嵌合溝の下半部には支持部材が嵌合されるとともに、該支持部材は張力を付加した状態で両端部が前記各ハーフリムの両端部に連結されていることを特徴とする請求項１又は２に記載のメガネフレームのレンズ取付け部の構造。
【請求項４】
一対のハーフリムを備えたメガネフレームの各ハーフリムの内面側に、中心からの距離によって厚みの異なるレンズを取り付けるためのレンズの取付け方法であって、
前記各ハーフリムの内面の幅を前記レンズの最大厚みと略同一に形成するとともに、該各ハーフリムの内面側の中央部から所定の距離離れた位置にそれぞれ嵌合溝を設け、該嵌合溝と前記レンズの周面に設けた嵌合溝の上半部との間に連結部材を嵌合させ、この状態で、レンズの嵌合溝の下半部に支持部材を嵌合させて、該支持部材に張力を付加した状態で該支持部材の両端部を前記各ハーフリムの両端部に連結することにより、各ハーフリムの内面側にレンズを取り付けることを特徴とするレンズの取付け方法。
【発明の詳細な説明】
【技術分野】
【０００１】
本発明は、メガネフレームのレンズ取付け部の構造及びレンズの取付け方法に関し、特に、ハーフリムタイプ（「ナイロールタイプ」ともいう。）のメガネフレームに有効なメガネフレームのレンズ取付け部の構造及びレンズの取付け方法に関する。
【背景技術】
【０００２】
メガネフレームには種々のタイプのものがあり、例えば、一対のハーフリムと、両ハーフリムの内縁部間を連結するブリッジと、各ハーフリムの外縁部に蝶番を介してそれぞれ回動自在に連結されるテンプルと、各ハーフリムの内縁部に連結されるノーズパッドとを備えたハーフリムタイプのメガネフレームが知られている。
【０００３】
このような構成のハーフリムタイプのメガネフレームにあっては、各ハーフリムの内面側にレンズを位置して、各ハーフリムの内面側に設けられている嵌合溝とレンズの周面に設けられている嵌合溝の上半部との間に水糸等からなる連結部材を嵌合させ、レンズの嵌合溝の下半部に水糸等からなる支持部材を嵌合させ、支持部材に張力を付加した状態で支持部材の両端部を各ハーフリムの両端部に連結することで、各ハーフリムの内面側にレンズを取り付けている（例えば、特許文献１参照。）。
【特許文献１】特開平１０−１９７８２８
【発明の開示】
【発明が解決しようとする課題】
【０００４】
ところで、上記のような構成のハーフリムタイプのメガネフレームにあっては、各ハーフリムの内面の幅方向の中央部に嵌合溝が設けられ、このハーフリムの嵌合溝とレンズの周面に設けた嵌合溝との間に水糸等からなる連結部材を嵌合させているため、レンズの種類によっては取り付けることができない場合があり、消費者のデザインの選択の幅を狭くしている。
【０００５】
つまり、例えば、視力矯正用のレンズを取り付ける場合、弱度の視力矯正用のレンズは、中心からの距離によって厚みが異なることはないが、強度の視力矯正用のレンズは、中心からの距離によって厚みが大きく異なる（例えば、上下が薄く、左右が厚い）。このため、弱度の視力矯正用のレンズを支持するハーフリムを用いた場合に、レンズを上側の部分ではレンズの厚みとハーフリムの幅とを一致させることができるものの、左右側ではレンズの厚みがハーフリムの幅よりも厚くなるため、レンズがハーフリムから食み出してしまい、レンズを支持し切れず、使用可能なレンズが弱度の視力矯正用に制限されていた。
【０００６】
本発明は、上記のような従来の問題に鑑みなされたものであって、レンズの種類（厚みの異なる様々なレンズ）に関わらずに取り付けることが可能であって、消費者のデザインの選択の幅を広げることができるメガネフレームのレンズ取付け部の構造及びレンズの取付け方法を提供することを目的とする。
【課題を解決するための手段】
【０００７】
上記のような課題を解決するために、本発明は、以下のような手段を採用している。
すなわち、請求項１に係る発明は、一対のハーフリムを備え、該一対のハーフリムの各々の内面側に、中心からの距離によって厚みの異なるレンズを取り付けるためのメガネフレームのレンズ取付け部の構造であって、前記各ハーフリムの幅は、前記レンズの最大厚みと略同一に形成されるとともに、該各ハーフリムの内面側の中央部から所定の距離離れた位置にそれぞれ嵌合溝が設けられ、該嵌合溝と前記レンズの周面に設けられた嵌合溝の上半部との間に連結部材を嵌合させるように構成されていることを特徴とする。
【０００８】
本発明によるメガネフレームのレンズ取付け部の構造によれば、中心からの距離によって厚みの異なるレンズを各ハーフリムの内側に取り付ける場合に、各ハーフリムの幅をレンズの最大厚みと同一に形成し、各ハーフリムの内面側の中央部から所定の距離離れた位置に嵌合溝を設けているので、各ハーフリムの内面の嵌合溝とレンズの周面に設けた嵌合溝との間に連結部材を嵌合させることにより、各ハーフリムの内面側にレンズを安定して支持することができる。
【０００９】
請求項２に係る発明は、請求項１に記載のメガネフレームのレンズ取付け部の構造であって、前記各ハーフリムの嵌合溝は、前記各ハーフリムの内面の中央部から各ハーフリムの前面方向に所定の距離離れた位置に設けられていることを特徴とする。
【００１０】
本発明によるメガネフレームのレンズ取付け部の構造によれば、中心からの距離によって厚みの異なるレンズを各ハーフリムの内側に取り付ける場合に、レンズの前面側よりに嵌合溝を設けることにより、各ハーフリムの内面側の嵌合溝とレンズの周面の嵌合溝との間に連結部材を嵌合させることが可能となり、各ハーフリムの内面側に連結部材を介してレンズを安定して支持することができる。
【００１１】
請求項３に係る発明は、請求項１又は２に記載のメガネフレームのレンズ取付け部の構造であって、前記レンズの嵌合溝の下半部には支持部材が嵌合されるとともに、該支持部材は張力を付加した状態で両端部が前記各ハーフリムの両端部に連結されていることを特徴とする。
【００１２】
本発明によるメガネフレームのレンズ取付け部の構造によれば、各ハーフリムの内面側の嵌合溝とレンズの周面の嵌合溝との間に連結部材を嵌合させ、レンズの周面の嵌合溝の下半部に支持部材を嵌合させ、この支持部材に張力を付加した状態で支持部材の両端部を各ハーフリムの両端部に連結することで、各ハーフリムの内面側にレンズを取り付けることができる。
【００１３】
請求項４に係る発明は、一対のハーフリムを備えたメガネフレームの各ハーフリムの内面側に、中心からの距離によって厚みの異なるレンズを取り付けるためのレンズの取付け方法であって、前記各ハーフリムの内面の幅を前記レンズの最大厚みと略同一に形成するとともに、該各ハーフリムの内面側の中央部から所定の距離離れた位置にそれぞれ嵌合溝を設け、該嵌合溝と前記レンズの周面に設けた嵌合溝の上半部との間に連結部材を嵌合させ、この状態で、レンズの嵌合溝の下半部に支持部材を嵌合させて、該支持部材に張力を付加した状態で該支持部材の両端部を前記各ハーフリムの両端部に連結することにより、各ハーフリムの内面側にレンズを取り付けることを特徴とする。
【００１４】
本発明によるレンズの取付け方法によれば、中心からの距離によって厚みの異なるレンズを各ハーフリムの内側に取り付ける場合に、各ハーフリムの幅をレンズの最大厚みと同一に形成し、各ハーフリムの内面側の中央部から所定の距離離れた位置に嵌合溝を設けているので、各ハーフリムの内面の嵌合溝とレンズの周面に設けた嵌合溝との間に連結部材を嵌合させ、この状態で、レンズの嵌合溝の下半部に支持部材を嵌合させて、支持部材に張力を付加した状態で、支持部材の両端部を各ハーフリムの両端部に連結することにより、各ハーフリムの内面側にレンズを取り付けることができる。
【発明の効果】
【００１５】
以上、説明したように、本発明のメガネフレームのレンズの取付け部の構造及びレンズの取付け方法によれば、厚さの異なる様々な種類のレンズを取り付けることができるので、消費者のデザインの選択の幅を広げることができる。
【発明を実施するための最良の形態】
【００１６】
以下、図面に示す本発明の実施の形態について説明する。
図１〜図３には、本発明によるメガネフレームのレンズ取付け部の構造の一実施の形態が示されていて、このメガネフレームのレンズ取付け部の構造は、所謂ハーフリムタイプ（「ナイロールタイプ」ともいう。）のメガネフレームに適用したものであって、強度の視力矯正用のレンズの取り付けを可能に構成したものである。
【００１７】
なお、以下の説明において、強度の視力矯正用レンズ（以下、「強度用レンズ」という。）とは、中心からの距離によって厚みの異なるレンズ、すなわち、メガネフレームの前方から見て、上下、左右の厚みが異なるレンズ（例えば、上下の厚みが薄く、左右の厚みが上下よりも厚いレンズ等）をいい、弱度の視力矯正用レンズ（以下、「弱度用レンズ」という。）とは、中心からの距離によって厚みの異ならないレンズ、すなわち、メガネフレームの前方から見て、上下、左右の厚みが略同一のレンズをいう。
【００１８】
ハーフリムタイプのメガネフレームは、一対のハーフリムと、両ハーフリムの内縁部間に連結されるブリッジと、各ハーフリムの外縁部に溶接等により一体に連結される蝶番と、各蝶番に回動自在に連結されるテンプルと、両ハーフリムの内縁部に溶接等により一体に連結される一対のノーズパッドとを備え、各ハーフリムの内面側にそれぞれ強度用レンズが取り付けられる。
【００１９】
各ハーフリム１は、図１〜図３に示すように、下方が開口する略円弧状に形成されるとともに、内面２が外面３よりも幅広の断面略台形状に形成されている。この場合、各ハーフリム１の内面２の幅は、強度用レンズ１５の最大厚さ（左右の厚さ）と略同一に形成され、各ハーフリム１の内面に強度用レンズ１５を取り付けた際に、強度用レンズ１５の左右の前後面とハーフリム１の前後面とが面一になるように構成されている。
【００２０】
各ハーフリム１の内面２には全周に亘る嵌合溝４が設けられ、この嵌合溝４内に後述する連結部材１０の上半部が嵌合される。この場合、嵌合溝４は、各ハーフリム１の幅方向の中央部よりもメガネフレームの前面方向に所定の距離離れた位置に設けられ、後述する連結部材１０の上半部の形状に合致する形状に形成されている。
【００２１】
本実施の形態においては、嵌合溝４は、後述する連結部材１０の断面形状に合致する断面略円形状に形成されている。この場合、嵌合溝４の開口部５は内部よりも幅狭に形成され、この幅狭に形成された開口部５によって嵌合溝４内から連結部材１０が脱落するのが防止される。
なお、嵌合溝４は、断面略円形状に限らず、他の周知の形状に形成してもよい。要は、嵌合溝４内からの連結部材１０の脱落を防止できる形状に形成であればよい。
【００２２】
連結部材１０は、合成樹脂、合成ゴム等から形成される断面略ダルマ形状をなす紐状体であって、例えば、市販の合成樹脂製、合成ゴム製の水糸等を使用することができる。連結部材１０は、ダルマ形状の上半部が各ハーフリム１の嵌合溝４内に嵌合され、下半部が後述する強度用レンズ１５の周面に設けられる嵌合溝１６の上半部内に嵌合される。
【００２３】
強度用レンズ１５は、前述したように、上下、左右の厚みが異なるレンズであって、図１〜図３に示すように、周面に全周に亘る断面矩形状の嵌合溝１６が設けられている。この場合、嵌合溝１６は、強度用レンズ１５の上下側の薄い部分では、図３に示すように、厚み方向の略中央部に配置され、左右側の厚い部分では、図２に示すように、厚み方向の中央部よりも前面側に配置されている。なお、図２及び図３において、図中右側を前面側として、左側を後面側としている。
【００２４】
そして、上記のように構成したメガネフレームの各ハーフリム１の内側に強度用レンズ１５を取り付けるには、まず、強度用レンズ１５を各ハーフリム１の内側に位置し、各ハーフリム１の内面２の嵌合溝４と強度用レンズ１５の周面の嵌合溝１６の上半部との間に連結部材１０を嵌合させる。
【００２５】
そして、強度用レンズ１５の周面の嵌合溝１６の下半部に支持部材（図示せず）を嵌合させ、この支持部材に張力を付加し、この状態で支持部材の両端部を各ハーフリム１の両端部にそれぞれ連結する。ここで、支持部材は、連結部材１０と同一素材から形成される断面略円形状の紐状体であって、連結部材１０と同様に、市販の合成樹脂製、合成ゴム製の水糸等を使用することができる。
【００２６】
このようにして、各ハーフリム１の内側にそれぞれ強度用レンズ１５を取り付けることにより、所定の度数の強度用レンズ１５を備えたメガネを構成することができ、このメガネを顔の前面側に装着することにより、強度用レンズ１５を通した視界が得られ、使用者の視力を矯正することができるものである。
【００２７】
上記のように構成した本実施の形態によるメガネフレームのレンズ取付け部の構造にあっては、中心からの距離によって厚みの異なる強度用レンズ１５であっても、弱度用レンズと同様に、各ハーフリム１の内面側に取り付けることができるので、消費者のデザインの選択の幅を広げることができる。
【図面の簡単な説明】
【００２８】
【図１】本発明によるメガネフレームのレンズ取付け部の構造の一実施の形態を示した概略図であって、ハーフリムの全体を示した概略図である。
【図２】ハーフリムの内側に強度用レンズを取り付けた状態を示した断面図であって、強度用レンズの左右側の厚みの最大の部分とハーフリムとの関係を示した断面図である。
【図３】ハーフリムの内側に強度用レンズを取り付けた状態を示した断面図であって、強度用レンズの上側の厚みの最小の部分とハーフリムとの関係を示した断面図である。
【符号の説明】
【００２９】
１  ハーフリム
２  内面
３  外面
４  嵌合溝
５  開口部
１０  連結部材
１５  強度用レンズ
１６  嵌合溝
【図１】
2008083299.tif 000003
【図２】
2008083299.tif 000004
【図３】
2008083299.tif 000005